(57)【要約】      （修正有）【課題】ケーシングの外側に外リード線部を引き回さない、リード線レスファンモータを提供する。【解決手段】羽根及びモータを備えるファンモータ２と、前記ファンモータの下方に位置し、前記モータの駆動を制御する電子回路基板３と、前記電子回路基板を載置する底板を有し前記ファンモータを内部に位置させるケーシング４と、前記ケーシングの外側に取り付けられ、前記電子回路基板に電力を供給するとともに前記電子回路基板の駆動を制御信号で制御する制御部に電気的に接続する本端子を備える端子ユニット６と、からなり、前記ケーシングの外に引き出される外リード線部を備えないことを特徴とするリード線レスファンモータ１とした。【選択図】図２
2018007337.tif 000002
【特許請求の範囲】
【請求項１】
羽根及びモータを備えるファンモータと、
前記ファンモータの下方に位置し、前記モータの駆動を制御する電子回路基板と、
前記電子回路基板を載置する底板を有し前記ファンモータを内部に位置させるケーシングと、
前記ケーシングの外側に取り付けられ、前記電子回路基板に電力を供給するとともに前記電子回路基板の駆動を制御信号で制御する制御部に電気的に接続する本端子を備える端子ユニットと、
からなり、前記ケーシングの外に引き出される外リード線部を備えないことを特徴とするリード線レスファンモータ。
【請求項２】
羽根及びモータを備えるファンモータと、
前記ファンモータの下方に位置し、前記モータの駆動を制御する電子回路基板と、
前記電子回路基板を載置する底板を有し、一部に凹部を備え、前記ファンモータを内部に位置させるケーシングと、
前記凹部に嵌められ、前記電子回路基板と電気的に接続する第一端子を備える第二ケーシングと、
前記第二ケーシングの外側に嵌められ、前記第一端子を介して前記電子回路基板に電力を供給するとともに前記電子回路基板の駆動を制御信号で制御する制御部に電気的に接続する本端子を備える端子ユニットと、
からなり、前記ケーシングの外に引き出される外リード線部を備えないことを特徴とするリード線レスファンモータ。
【請求項３】
前記第二ケーシングと端子ユニットが、突起と穴により、着脱可能に嵌着することを特徴とする請求項１に記載のリード線レスファンモータ。
【請求項４】
前記端子ユニットに、前記電子回路基板、モータ及び接触の適否を判断する、本端子に接続するテスト端子を備えることを特徴とする請求項１に記載のリード線レスファンモータ。
【請求項５】
前記ケーシングを、前記ケーシングの凹部から側方に延設された拡張部を備えるケーシングとし、
前記第二ケーシングを、前記第二ケーシングの側方に延設され、前記拡張部に載置される延設部を備える第二ケーシングとし、
前記端子ユニットの端子基板を、前記拡張部及び延設部まで伸びた端子基板とし、
前記端子ユニットの本端子を、前記拡張部及び延設部の上方に位置させた本端子としたことを特徴とする請求項１〜請求項４の何れか１項に記載のリード線レスファンモータ。
【発明の詳細な説明】
【技術分野】
【０００１】
本発明は、ケーシングの外側に外リード線部を引き回さない、リード線レスファンモータに関する。
【背景技術】
【０００２】
従来のリード線付きファンモータ９は、図９に示すように、羽根２ａ及びモータを備えるファンモータ２と、ファンモータ２の下方に位置し、前記モータの駆動を制御する電子回路基板３と、電子回路基板３を載置する底板９ｆを有し、ファンモータ２を内部に位置させ、リード線を通すため切欠き９ｂを有するケーシング９ａと、一方が電子回路基板３に接続し、他端である先端にコネクタ９ｅを備えるリード線（ケーシング９ａの内側に位置する部分を内リード線部９ｃと呼び、ケーシング９ａの外側に位置する部分を外リード線部９ｄと呼ぶ）とからなり、穴４ａ位置において、電気機器にネジ留め固定され、コネクタ９ｅは、電子回路基板３に電力を供給するとともに電子回路基板３の駆動を制御信号で制御する制御部１１に電気的に接続する（非特許文献１など）。
【０００３】
そして、リード線付きファンモータ９は、それを備える機器に適合するように、すなわち、制御部１１に接続するための外リード線部９ｄの長さやコネクタ９ｅの種類、形状が違い、同じ性能であっても、リード線の長さが違う数種類の機種タイプが存在する状況である。そのような理由から、リード線付きファンモータ９では、部品の共通化が難しい。
【０００４】
また、リード線付きファンモータ９では、取り付ける機器への自動組み立てができない。外リード線部９ｄでの長さやコネクタ９ｅの取付け位置が、機種によって違い、ファンモータ２のケーシング９ａの取り付け作業方法を共通化できない。外リード線部９ｄの引き回しのバラツキにより、外リード線部９ｄの他部品への接触等で不具合が生じるなどの問題があった。
【先行技術文献】
【非特許文献】
【０００５】
【非特許文献１】http://www.nipponkeiki.co.jp/products/high_trust/
【発明の概要】
【発明が解決しようとする課題】
【０００６】
そこで、本発明は、ケーシングの外側に外リード線部を引き回さない、リード線レスファンモータを提供することを目的とする。
【課題を解決するための手段】
【０００７】
本発明は、上記課題を解決するため、
（１）
羽根及びモータを備えるファンモータと、
前記ファンモータの下方に位置し、前記モータの駆動を制御する電子回路基板と、
前記電子回路基板を載置する底板を有し前記ファンモータを内部に位置させるケーシングと、
前記ケーシングの外側に取り付けられ、前記電子回路基板に電力を供給するとともに前記電子回路基板の駆動を制御信号で制御する制御部に電気的に接続する本端子を備える端子ユニットと、
からなり、前記ケーシングの外に引き出される外リード線部を備えないことを特徴とするリード線レスファンモータ。
（２）
羽根及びモータを備えるファンモータと、
前記ファンモータの下方に位置し、前記モータの駆動を制御する電子回路基板と、
前記電子回路基板を載置する底板を有し、一部に凹部を備え、前記ファンモータを内部に位置させるケーシングと、
前記凹部に嵌められ、前記電子回路基板と電気的に接続する第一端子を備える第二ケーシングと、
前記第二ケーシングの外側に嵌められ、前記第一端子を介して前記電子回路基板に電力を供給するとともに前記電子回路基板の駆動を制御信号で制御する制御部に電気的に接続する本端子を備える端子ユニットと、
からなり、前記ケーシングの外に引き出される外リード線部を備えないことを特徴とするリード線レスファンモータ。
（３）
前記第二ケーシングと端子ユニットが、突起と穴により、着脱可能に嵌着することを特徴とする（１）に記載のリード線レスファンモータ。
（４）
前記端子ユニットに、前記電子回路基板、モータ及び接触の適否を判断する、本端子に接続するテスト端子を備えることを特徴とする（１）に記載のリード線レスファンモータ。
（５）
前記ケーシングを、前記ケーシングの凹部から側方に延設された拡張部を備えるケーシングとし、
前記第二ケーシングを、前記第二ケーシングの側方に延設され、前記拡張部に載置される延設部を備える第二ケーシングとし、
前記端子ユニットの端子基板を、前記拡張部及び延設部まで伸びた端子基板とし、
前記端子ユニットの本端子を、前記拡張部及び延設部の上方に位置させた本端子としたことを特徴とする（１）〜（４）の何れか１項に記載のリード線レスファンモータ。
とした。
【発明の効果】
【０００８】
本発明は、上記構成であるので、制御部１１への接続用の外リード線部が無くなるために、部品の共通化が可能になる。また、本発明のリート線付きファンモータでは、取り付ける機器への自動組み立てが可能となり、取り付け作業方法の共通化も可能になる。その結果、ファンモータ２のケーシング９ａの取り付け作業方法の自動化により作業工程のバラツキが無くなる。リード線の引き回し作業のバラツキによる、リード線の他部品への影響がなくなる。
【図面の簡単な説明】
【０００９】
【図１】本発明のリード線レスファンモータの第一の実施形態の平面側斜視図である。
【図２】本発明のリード線レスファンモータの第一の実施形態の平面側斜視分解図である。
【図３】本発明のリード線レスファンモータのケーシングに、第二ケーシングと端子ユニットを嵌合させたときの底面側斜視図である。
【図４】本発明のリード線レスファンモータ内に設置された、電子回路基板と端子ユニットの底面側の接続状態図である。
【図５】図４の端子ユニットに第二ケーシングを嵌合させたときの底面側斜視図である。
【図６】本発明のリード線レスファンモータの使用状態斜視模式図である。
【図７】本発明のリード線レスファンモータの端子ユニットに外部接続の接触端子を接続したときの部分拡大図である。
【図８】本発明のリード線レスファンモータの第二の実施形態の平面側斜視図である。
【図９】従来のリード線付きファンモータの（Ａ）平面側斜視図、（Ｂ）底面側斜視写真である。
【発明を実施するための形態】
【００１０】
以下、添付図面に基づき、本発明の実施の形態について詳細に説明する。ただし、本発明はそれら実施形態に限定されるものではない。
【実施例１】
【００１１】
図１−図７に示すように、本発明の第一の実施形態のリード線レスファンモータ１は、羽根２ａ及びモータを備えるファンモータ２と、ファンモータ２の下方に位置し、モータの駆動を制御する電子回路基板３と、ケーシング４と、第二ケーシング５と、端子ユニット６とからなり、ケーシングの外に引き出される従来の外リード線部９ｄを備えないことを特徴とする。
【００１２】
ファンモータ２、電子回路基板３は、従来から用いられている、構造、機構、制御などを採用することができる。
【００１３】
ケーシング４は、電子回路基板３を載置する底板４ｅを有し、一部に凹部４ｄを備え、ファンモータ２を内部空間４ｋに位置させる。内部空間４ｋは軸流方向に貫通している。ケーシング４は、従来のケーシング９ａから、第二ケーシング５に相当する部分を切り取った構造をしており、切り取られた部分が凹部４ｄで、そこに第二ケーシング５を嵌め、全体として、従来のケーシング９ａとして機能する。
【００１４】
図１−３に示されるように、ケーシング４の四角には、ケーシング４（リード線レスファンモータ１）を電子機器に取り付けるための穴４ａ、４ａ、４ｇ、４ｆが穿設されている。
【００１５】
穴４ｇ、４ｆは、第二ケーシングを凹部４ｄに嵌めると、第二ケーシング５の両端の穴５ｆ、５ｇにそれぞれ連通し、連通孔を形成する。また、ケーシング４の凹部４ｄには、穴４ｂ、４ｃが穿設され、第二ケーシング５を凹部４ｄに嵌めると、後述の第二ケーシング５の穴５ａ、５ｂに連通する。そして、図３に示すように、穴４ｂ、４ｃ及び穴５ａ、５ｂにネジ８を螺合して、ケーシング４と第二ケーシング５を連結する。
【００１６】
図３に示すように、底板４ｅは円盤形で、ケーシング４の枠に連結材４ｈ、４ｉで連結し、ケーシングの枠とともにファンモータ２を収納する空間４ｋを形成する。連結材４ｉは、連結材４ｈに比べ幅広で、内部リード線７を載置し、後述の第二ケーシング５のカバー５ｈとともに内部リード線７を絶縁的にカバーする。
【００１７】
第二ケーシング５は、凹部４ｄに嵌められ、従来のケーシング９ａの枠形状を形成する本体５ｉと、本体５ｉに備えられる、電子回路基板３と電気的に接続する第一端子５ｅと、ケーシング４にネジ８で連結する際に用いられる穴５ａ、５ｂと、ケーシングの穴４ｆ、４ｇに連通し、ケーシング４と第二ケーシング５をネジで電気機器に固定する際に用いられる穴５ｆ、５ｇと、端子ユニット６を出っ張ることなく嵌めて、収納する窪み５ｋ、端子ユニット６を嵌着、固定する突起５ｄ、５ｃとからなる。
【００１８】
このようにしてなるケーシング４及び第二ケーシング５は、穴４ａ、４ａ、さらに形成された前記連通孔にネジを挿入して、ファンモータ２による冷却を要する電子機器に留められる。
【００１９】
端子ユニット６は、第二ケーシング５の外側面の窪み５ｋに嵌る端子基板６ａと、端子基板の両端部に穿設され第二ケーシング５の突起５ｃ、５ｄに嵌る穴６ｂ、６ｃと、第一端子５ｅを介して電子回路基板３に電力を供給するとともに電子回路基板３の駆動を制御信号で制御する制御部１１に電気的に接続する本端子６ｄとからなる。テスト端子６ｅは、生産時に、テスター、電源を接触させ、通電、動作の適否をチェックに用いられる。
【００２０】
本端子６ｄは、図４及び図５に示すように、端子基板６ａの裏面で第一端子５ｅに接触し、第一端子５ｅは、第二ケーシング５の本体５ｉの底部を通り、電子回路基板３に接続する内部リード線７に接続する。内部リード線７は、カバー５ｈと連結材４ｉで覆われ、衝撃から保護されるとともに、絶縁される。
【００２１】
このようにしてなるリード線レスファンモータ１は、図６、７に示すように、電気機器に取り付けられた接触端子１０に本端子６ｄが接触し、接触端子１０を介して制御部１１に電気的に接続する。この際、接触端子１０に、バネ端子１０ａを備えれば、ケーシングの外側にリード線、コネクタを引き回すことなく、簡易にリード線レスファンモータ１と電気機器の制御部１１を電気的に接続することができる。
【００２２】
本実施例では、端子ユニット６を第二ケーシング５に取り付け、端子ユニット６は電子回路基板３に接続するが、第二ケーシング５を用いることなく、従来のケーシング９ａの枠のように、一体とし、その外側の側面に端子ユニット６を埋め込むなどしてもよい。それであっても、制御部１１への接続用の外リード線部９ｄを用いなくても部品の共通化、外部の制御部１１への接続が可能になる。また、リード線レスファンモータ、それを組み込んだ機器の自動組み立てが可能となり、取り付け作業方法の共通化も可能になる。
【００２３】
他方、実施例１のように、端子ユニット６を、ケーシング４から分割した第二ケーシング５に嵌着させることで、前記効果に加え、成型が容易になる。それらの結果、ファンモータ２のケーシング９ａの取り付け作業方法の自動化により作業工程のバラツキが無くなる。リード線の引き回し作業のバラツキによる、リード線の他部品への影響がなくなる。
【実施例２】
【００２４】
図８に示すように、本発明の第二の実施形態のリード線レスファンモータ１ａは、実施例１において、ケーシング４をケーシング４の凹部４ｄの一側方に延設された拡張部４０ａを備えるケーシング４０とし、第二ケーシング５を第二ケーシング５の一側方に延設され拡張部４０ａに載置される延設部５０ａを備える第二ケーシング５０とし、端子ユニット６の端子基板６ａを、拡張部４０ａ及び延設部５０ａまで伸びた端子基板６０ａとし、端子ユニット６の本端子６ｄを、拡張部４０ａ及び延設部５０ａの上方に位置させた本端子６０ｄとした。突起５０ｃと穴６０ｂ及び突起５ｄと穴６ｃが嵌着して、端子ユニット６０と第二ケーシング５０は連結する。
【００２５】
このように、他部品への接続部分（本端子６０ｄ）をケーシング４０の枠部（ベンチュリー）の側面からずらす構造を採用することで、バネ端子のベンチュリーを押し込む力（応力）を排除することができ、リード線レスファンモータ１ａの変形を抑制し、ファンモータ２とケーシング４０とのクリアランスなどへの悪影響を低減する点において、実施例１よりも優れている。
【符号の説明】
【００２６】
１      リード線レスファンモータ
１ａ    リード線レスファンモータ
２      ファンモータ
２ａ    羽根
３      電子回路基板
４      ケーシング
４ａ    穴
４ｂ    穴
４ｃ    穴
４ｄ    凹部
４ｅ    底板
４ｆ    穴
４ｇ    穴
４ｈ    連結材
４ｉ    連結材
４ｋ    空間
５      第二ケーシング
５ａ    穴
５ｂ    穴
５ｃ    突起
５ｄ    突起
５ｅ    第一端子
５ｆ    穴
５ｇ    穴
５ｈ    カバー
５ｉ    本体
５ｋ    窪み
６      端子ユニット
６ａ    端子基板
６ｂ    穴
６ｃ    穴
６ｄ    本端子
６ｅ    テスト端子
７      内部リード線
８      ネジ
９      リード線付きファンモータ
９ａ    ケーシング
９ｂ    切欠き
９ｃ    内リード線部
９ｄ    外リード線部
９ｅ    コネクタ
９ｆ    底板
１０    接触端子
１０ａ  バネ端子
１１    制御部
４０    ケーシング
４０ａ  拡張部
５０    第二ケーシング
５０ａ  延設部
５０ｃ  突起
６０    端子ユニット
６０ａ  端子基板
６０ｂ  穴
６０ｄ  本端子
【図１】
2018007337.tif 000003
【図２】
2018007337.tif 000004
【図３】
2018007337.tif 000005
【図４】
2018007337.tif 000006
【図５】
2018007337.tif 000007
【図６】
2018007337.tif 000008
【図７】
2018007337.tif 000009
【図８】
2018007337.tif 000010
【図９】
2018007337.tif 000011